(57)【要約】【課題】コンテンツの表示形式の切り替えの前後で共通して表示される項目は動的に移動させる情報処理装置を提供すること。【解決手段】操作入力を受け付ける操作入力手段と、コンテンツを識別するコンテンツ識別情報と、対応する属性情報とを記憶する記憶手段と、コンテンツ識別情報ごとの属性情報をコンテンツ表示領域に表示させる表示制御手段と、を備え、表示制御手段は、操作入力手段への操作入力に基づいて第１の属性情報群をコンテンツ識別情報ごとにコンテンツ表示領域に表示する第１の表示から、第２の属性情報群をコンテンツ識別情報ごとにコンテンツ表示領域に表示する第２の表示へ切り替えて表示させ、該切り替えの際に第１の属性情報群と第２の属性情報群とで共通の属性情報については動的に移動させてコンテンツ表示領域に表示させる、情報処理装置が提供される。【選択図】図１
2010026864.tif 000002
【特許請求の範囲】
【請求項１】
操作入力を受け付ける操作入力手段と、
コンテンツを識別するコンテンツ識別情報と、前記コンテンツ識別情報に対応する属性情報とを記憶する記憶手段と、
前記記憶手段が記憶する前記コンテンツ識別情報ごとの前記属性情報をコンテンツ表示領域に表示させる表示制御手段と、
を備え、
前記表示制御手段は、前記操作入力手段への操作入力に基づいて、前記属性情報の内の第１の属性情報群を前記コンテンツ識別情報ごとに前記コンテンツ表示領域に表示する第１の表示から前記属性情報の内の第２の属性情報群を前記コンテンツ識別情報ごとに前記コンテンツ表示領域に表示する第２の表示へ切り替えて表示させ、該切り替えの際に前記第１の属性情報群と前記第２の属性情報群とで共通の前記属性情報については動的に移動させて前記コンテンツ表示領域に表示させる、情報処理装置。
【請求項２】
前記表示制御手段は、前記第１の属性情報群に存在し前記第２の属性情報群に存在しない前記属性情報は、共通の前記属性情報を移動させる前に前記コンテンツ表示領域から消去させる、請求項１に記載の情報処理装置。
【請求項３】
前記表示制御手段は、前記消去の際に、前記コンテンツ表示領域からフェードアウトするように消去させる、請求項２に記載の情報処理装置。
【請求項４】
前記表示制御手段は、前記第１の属性情報群に存在し前記第２の属性情報群に存在しない前記属性情報は、共通の前記属性情報を移動させた後に前記コンテンツ表示領域から消去させる、請求項１に記載の情報処理装置。
【請求項５】
前記表示制御手段は、前記消去の際に、前記コンテンツ表示領域からフェードアウトするように消去させる、請求項４に記載の情報処理装置。
【請求項６】
前記表示制御手段は、前記第１の属性情報群に存在し前記第２の属性情報群に存在しない前記属性情報は、共通の前記属性情報を移動させつつ前記コンテンツ表示領域から消去させる、請求項１に記載の情報処理装置。
【請求項７】
前記表示制御手段は、前記消去の際に、前記コンテンツ表示領域からフェードアウトするように消去させる、請求項５に記載の情報処理装置。
【請求項８】
前記表示制御手段は、前記第２の属性情報群に存在し前記第１の属性情報群に存在しない前記属性情報は、共通の前記属性情報を移動させた後に前記コンテンツ表示領域に表示させる、請求項１に記載の情報処理装置。
【請求項９】
前記表示制御手段は、前記表示の際に、前記コンテンツ表示領域へフェードインするように表示させる、請求項８に記載の情報処理装置。
【請求項１０】
前記表示制御手段は、前記第２の属性情報群に存在し前記第１の属性情報群に存在しない前記属性情報は、共通の前記属性情報を移動させる前に前記コンテンツ表示領域に表示させる、請求項１に記載の情報処理装置。
【請求項１１】
前記表示制御手段は、前記表示の際に、前記コンテンツ表示領域へフェードインするように表示させる、請求項１０に記載の情報処理装置。
【請求項１２】
前記表示制御手段は、前記第１の表示から前記第２の表示へ切り替える際に選択状態にあるコンテンツの選択状態表示を滑らかに変化させる、請求項１に記載の情報処理装置。
【請求項１３】
前記表示制御手段は、前記第１の表示から前記第２の表示へ切り替える際にコンテンツ単位で前記属性情報が表示されるコンテンツ表示領域の形状を滑らかに変化させる、請求項１に記載の情報処理装置。
【請求項１４】
前記表示制御手段は、前記第１の表示から前記第２の表示へ切り替えた後に選択状態にあるコンテンツが前記コンテンツ表示領域から見えなくなる場合に、前記第１の表示から前記第２の表示へ切り替える際に該コンテンツが表示されるように前記コンテンツ表示領域をスクロールさせる、請求項１に記載の情報処理装置。
【請求項１５】
前記第１の属性情報群と前記第２の属性情報群との少なくともいずれかにコンテンツを示す画像が含まれる、請求項１に記載の情報処理装置。
【請求項１６】
操作入力を受け付ける操作入力ステップと、
コンテンツを識別するコンテンツ識別情報と、前記コンテンツ識別情報に対応する属性情報とを記憶する記憶ステップと、
前記記憶ステップで記憶される前記コンテンツ識別情報ごとの前記属性情報をコンテンツ表示領域に表示させる表示制御ステップと、
を備え、
前記表示制御ステップは、前記操作入力ステップの操作入力に基づいて、前記属性情報の内の第１の属性情報群を前記コンテンツ識別情報ごとに前記コンテンツ表示領域に表示する第１の表示から前記属性情報の内の第２の属性情報群を前記コンテンツ識別情報ごとに前記コンテンツ表示領域に表示する第２の表示へ切り替えて表示させ、該切り替えの際に前記第１の属性情報群と前記第２の属性情報群とで共通の前記属性情報については動的に移動させて前記コンテンツ表示領域に表示させる、情報表示方法。
【請求項１７】
コンピュータに、
操作入力を受け付ける操作入力ステップと、
コンテンツを識別するコンテンツ識別情報と、前記コンテンツ識別情報に対応する属性情報とを記憶する記憶ステップと、
前記記憶ステップで記憶される前記コンテンツ識別情報ごとの前記属性情報をコンテンツ表示領域に表示させる表示制御ステップと、
を実行させ、
前記表示制御ステップは、前記操作入力ステップの操作入力に基づいて、前記属性情報の内の第１の属性情報群を前記コンテンツ識別情報ごとに前記コンテンツ表示領域に表示する第１の表示から前記属性情報の内の第２の属性情報群を前記コンテンツ識別情報ごとに前記コンテンツ表示領域に表示する第２の表示へ切り替えて表示させ、該切り替えの際に前記第１の属性情報群と前記第２の属性情報群とで共通の前記属性情報については動的に移動させて前記コンテンツ表示領域に表示させる、コンピュータプログラム。
【発明の詳細な説明】
【技術分野】
【０００１】
本発明は、情報処理装置、情報表示方法およびコンピュータプログラムに関する。
【背景技術】
【０００２】
パーソナルコンピュータのような情報処理装置に記録されているテキストファイル、映像ファイル、楽曲ファイル等は、分類を容易にするために情報処理装置のユーザによって階層構造で整理されて保存されることが多い。例えば、テキストファイルを格納するフォルダ、映像ファイルを格納するフォルダ、楽曲ファイルを格納するフォルダ等を用意し、それらのフォルダに、さらに階層構造を有するようにフォルダを作成して、作成したフォルダにファイルを格納することで、データ管理が容易となる。
【０００３】
この様に階層構造で整理されて保存された楽曲や映像（以降、これらを総称して「コンテンツ」とも称する）が記録されたファイルの情報を表示する際には、所定のコンテンツ表示アプリケーション（例えば、コンテンツを表示・再生するジュークボックスプログラムと呼ばれるアプリケーション等）を使用することが多い（例えば、特許文献１参照）。かかるアプリケーションでは、画面上にコンテンツが一覧表示され、コンテンツの種別ごとに（例えば楽曲ごと、または映像ごとに）コンテンツを表示したり、特定のアーティストやアルバム、ジャンルに属するコンテンツを絞り込んで表示したりすることができる。
【０００４】
また、かかるコンテンツ表示アプリケーションでは、コンテンツの表示形式をユーザの操作によって切り替えることができる。例えば、Ｗｉｎｄｏｗｓ（登録商標）のエクスプローラでは、コンテンツの表示形式を、ユーザの操作によって一覧表示から詳細表示に切り替えることができる。
【０００５】
【特許文献１】特開２００２−１１６９３３号公報
【発明の開示】
【発明が解決しようとする課題】
【０００６】
しかし、従来のコンテンツ表示アプリケーションでは、コンテンツの表示形式を切り替えると、一瞬のうちに表示の切り替えが完了してしまう。コンテンツの表示が一瞬で切り替わってしまうと、同じ内容のコンテンツの一覧を表示しているにも関わらず、ユーザは別のコンテンツの一覧の表示に切り替わったように誤解してしまう問題があった。
【０００７】
そこで、本発明は、上記問題に鑑みてなされたものであり、本発明の目的とするところは、コンテンツの表示形式を切り替える際に、切り替えの前後で共通して表示される項目は、動的に移動させることで、ユーザに分かりやすくコンテンツを表示させることが可能な、新規かつ改良された情報処理装置、情報表示方法およびコンピュータプログラムを提供することにある。
【課題を解決するための手段】
【０００８】
上記課題を解決するために、本発明のある観点によれば、操作入力を受け付ける操作入力手段と、コンテンツを識別するコンテンツ識別情報と、コンテンツ識別情報に対応する属性情報とを記憶する記憶手段と、記憶手段が記憶するコンテンツ識別情報ごとの属性情報をコンテンツ表示領域に表示させる表示制御手段と、を備え、表示制御手段は、操作入力手段への操作入力に基づいて、属性情報の内の第１の属性情報群をコンテンツ識別情報ごとにコンテンツ表示領域に表示する第１の表示から属性情報の内の第２の属性情報群をコンテンツ識別情報ごとにコンテンツ表示領域に表示する第２の表示へ切り替えて表示させ、該切り替えの際に第１の属性情報群と第２の属性情報群とで共通の属性情報については動的に移動させてコンテンツ表示領域に表示させる、情報処理装置が提供される。
【０００９】
かかる構成によれば、操作入力手段は操作入力を受け付け、記憶手段はコンテンツを識別するコンテンツ識別情報と、コンテンツ識別情報に対応する属性情報とを記憶し、表示制御手段は記憶手段が記憶するコンテンツ識別情報ごとの属性情報をコンテンツ表示領域に表示させる。そして、表示制御手段は、操作入力手段への操作入力に基づいて、属性情報の内の第１の属性情報群をコンテンツ識別情報ごとにコンテンツ表示領域に表示する第１の表示から属性情報の内の第２の属性情報群をコンテンツ識別情報ごとにコンテンツ表示領域に表示する第２の表示へ切り替えて表示させ、該切り替えの際に第１の属性情報群と第２の属性情報群とで共通の属性情報については動的に移動させてコンテンツ表示領域に表示させる。その結果、コンテンツの表示形式を切り替える際に、切り替えの前後で共通して表示される項目は、動的に移動させることで、ユーザに分かりやすくコンテンツを表示させることができる。
【００１０】
表示制御手段は、第１の属性情報群に存在し第２の属性情報群に存在しない属性情報は、共通の属性情報を移動させる前にコンテンツ表示領域から消去させてもよい。
【００１１】
表示制御手段は、消去の際に、コンテンツ表示領域からフェードアウトするように消去させてもよい。
【００１２】
表示制御手段は、第１の属性情報群に存在し第２の属性情報群に存在しない属性情報は、共通の属性情報を移動させた後にコンテンツ表示領域から消去させてもよい。
【００１３】
表示制御手段は、消去の際に、コンテンツ表示領域からフェードアウトするように消去させてもよい。
【００１４】
表示制御手段は、第１の属性情報群に存在し第２の属性情報群に存在しない属性情報は、共通の属性情報を移動させつつコンテンツ表示領域から消去させてもよい。
【００１５】
表示制御手段は、消去の際に、コンテンツ表示領域からフェードアウトするように消去させてもよい。
【００１６】
表示制御手段は、第２の属性情報群に存在し第１の属性情報群に存在しない属性情報は、共通の属性情報を移動させた後にコンテンツ表示領域に表示させてもよい。
【００１７】
表示制御手段は、表示の際に、コンテンツ表示領域へフェードインするように表示させてもよい。
【００１８】
表示制御手段は、第２の属性情報群に存在し第１の属性情報群に存在しない属性情報は、共通の属性情報を移動させる前にコンテンツ表示領域に表示させてもよい。
【００１９】
表示制御手段は、表示の際に、コンテンツ表示領域へフェードインするように表示させてもよい。
【００２０】
表示制御手段は、第１の表示から第２の表示へ切り替える際に選択状態にあるコンテンツの選択状態表示を滑らかに変化させてもよい。
【００２１】
表示制御手段は、第１の表示から第２の表示へ切り替える際にコンテンツ単位で属性情報が表示されるコンテンツ表示領域の形状を滑らかに変化させてもよい。
【００２２】
表示制御手段は、第１の表示から第２の表示へ切り替えた後に選択状態にあるコンテンツがコンテンツ表示領域から見えなくなる場合に、第１の表示から第２の表示へ切り替える際に該コンテンツが表示されるようにコンテンツ表示領域をスクロールさせてもよい。
【００２３】
第１の属性情報群と第２の属性情報群との少なくともいずれかにコンテンツを示す画像が含まれていてもよい。
【００２４】
また、上記課題を解決するために、本発明の別の観点によれば、操作入力を受け付ける操作入力ステップと、コンテンツを識別するコンテンツ識別情報と、コンテンツ識別情報に対応する属性情報とを記憶する記憶ステップと、記憶ステップで記憶されるコンテンツ識別情報ごとの属性情報をコンテンツ表示領域に表示させる表示制御ステップと、を備え、表示制御ステップは、操作入力ステップの操作入力に基づいて、属性情報の内の第１の属性情報群をコンテンツ識別情報ごとにコンテンツ表示領域に表示する第１の表示から属性情報の内の第２の属性情報群をコンテンツ識別情報ごとにコンテンツ表示領域に表示する第２の表示へ切り替えて表示させ、該切り替えの際に第１の属性情報群と第２の属性情報群とで共通の属性情報については動的に移動させてコンテンツ表示領域に表示させる、情報表示方法が提供される。
【００２５】
また、上記課題を解決するために、本発明の別の観点によれば、コンピュータに、操作入力を受け付ける操作入力ステップと、コンテンツを識別するコンテンツ識別情報と、コンテンツ識別情報に対応する属性情報とを記憶する記憶ステップと、記憶ステップで記憶されるコンテンツ識別情報ごとの属性情報をコンテンツ表示領域に表示させる表示制御ステップと、を実行させ、表示制御ステップは、操作入力ステップの操作入力に基づいて、属性情報の内の第１の属性情報群をコンテンツ識別情報ごとにコンテンツ表示領域に表示する第１の表示から属性情報の内の第２の属性情報群をコンテンツ識別情報ごとにコンテンツ表示領域に表示する第２の表示へ切り替えて表示させ、該切り替えの際に第１の属性情報群と第２の属性情報群とで共通の属性情報については動的に移動させてコンテンツ表示領域に表示させる、コンピュータプログラムが提供される。
【発明の効果】
【００２６】
以上説明したように本発明によれば、コンテンツの表示形式を切り替える際に、切り替えの前後で共通して表示される項目は、動的に移動させることで、ユーザに分かりやすくコンテンツを表示させることが可能な、新規かつ改良された情報処理装置、情報表示方法およびコンピュータプログラムを提供することができる。
【発明を実施するための最良の形態】
【００２７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２８】
また、以下の順序に従って本発明の好適な実施の形態について詳細に説明する。
〔１〕本発明の一実施形態にかかる情報処理装置の構成
〔２〕本発明の一実施形態にかかる情報処理装置の機能構成
〔３〕本発明の一実施形態にかかる情報処理装置に表示される画面の構成
〔４〕本発明の一実施形態にかかる情報処理装置の動作
〔５〕本発明の一実施形態にかかる情報処理装置の動作の変形例
【００２９】
〔１〕本発明の一実施形態にかかる情報処理装置の構成
まず、本発明の一実施形態にかかる情報処理装置の構成について説明する。図１は、本発明の一実施形態にかかる情報処理装置１００の構成について説明する説明図である。以下、図１を用いて本発明の一実施形態にかかる情報処理装置１００の構成について説明する。
【００３０】
図１に示したように、本発明の一実施形態にかかる情報処理装置１００は、ＣＰＵ（Ｃｅｎｔｒａｌ  Ｐｒｏｃｅｓｓｉｎｇ  Ｕｎｉｔ）１０２と、ＲＯＭ（Ｒｅａｄ  Ｏｎｌｙ  Ｍｅｍｏｒｙ）１０４と、ＲＡＭ（Ｒａｎｄｏｍ  Ａｃｃｅｓｓ  Ｍｅｍｏｒｙ）１０６と、内部バス１０８と、入出力インタフェース１１０と、表示部１１２と、入力部１１４と、音声出力部１１５と、ＨＤＤ（Ｈａｒｄ  Ｄｉｓｋ  Ｄｒｉｖｅ）１１６と、ドライブ１１７と、ネットワークインタフェース１１８と、外部インタフェース１１９と、を含んで構成される。
【００３１】
ＣＰＵ１０２は、数値計算や情報処理、機器制御等を行うものであり、ＲＯＭ１０４に格納されたプログラムや、ＲＡＭ１０６に格納されたデータを順次読み出すことによって、また、例えば情報処理装置１００のユーザが入力部１１４から入力した指令に対応する信号や、ネットワークインタフェース１１８を介して外部の機器から送信された信号に基づいて、数値計算や情報処理、機器制御を行う。
【００３２】
ＲＯＭ１０４は、ＣＰＵ１０２が数値計算や情報処理、機器制御等を行う際に使用するプログラムや演算用のパラメータのうち、基本的に変更されず固定のデータを格納するものである。また、ＲＡＭ１０６は、ＣＰＵ１０２が数値計算や情報処理、機器制御等を行う際に使用するプログラムや演算用のパラメータのうち、基本的に各種処理の際に適宜変化するデータを格納するものである。
【００３３】
内部バス１０８は、情報処理装置１００の内部でデータの交換を行う際の経路である。ＣＰＵ１０２、ＲＯＭ１０４、ＲＡＭ１０６は、内部バス１０８によってそれぞれ相互に接続されている。また、内部バスは入出力インタフェース１１０とも接続されており、入出力インタフェース１１０を介して送られる、入力部１１４から入力した指令に対応する信号や、ネットワークインタフェース１１８を介して情報処理装置１００とネットワークで接続される他の機器から送信された信号をＣＰＵ１０２に渡す。
【００３４】
入出力インタフェース１１０は、情報の入出力のやり取りの仲介を行うものである。入出力インタフェース１１０は、表示部１１２、入力部１１４、音声出力部１１５、ドライブ１１７、ネットワークインタフェース１１８および外部インタフェース１１９に接続される。また入出力インタフェース１１０は、上述のように内部バス１０８とも接続されており、入力部１１４から入力した指令に対応する信号や、ネットワークインタフェース１１８を介して情報処理装置１００とネットワークで接続される他の機器から送信された信号を、内部バス１０８を介してＣＰＵ１０２に渡す。
【００３５】
表示部１１２は、入力部１１４から入力された内容や、ＣＰＵ１０２で数値計算や情報処理、機器制御等を行った結果等に関する情報を表示するものである。表示部１１２は、例えば液晶表示装置や有機ＥＬ表示装置等からなる。
【００３６】
入力部１１４は、例えば情報処理装置１００のユーザが、ＣＰＵ１０２に対して各種の指令を入力する際に操作されるものである。入力部１１４としては、例えばボタン、キーボード、マウスやタッチパッド等からなる。
【００３７】
音声出力部１１５は、情報処理装置１００において音声の出力を伴うような処理を実行した際に、当該処理において発生する音声を出力するものである。ＨＤＤ１１６は、内部にハードディスクを設け、設けられたハードディスクを駆動し、ＣＰＵ１０２によって読み出されて実行されるプログラムや情報（例えば動画ファイル）を記録・再生するものである。ドライブ１１７は、持ち運び可能な記録媒体が装着され、装着された記録媒体と情報処理装置１００との間でデータの授受を行うものである。持ち運び可能な記録媒体として、磁気ディスク、光ディスク、光磁気ディスク、半導体メモリ等を用いてもよく、ドライブ１１７はこれらの記録媒体を読み取ることができるような装置を用いることができる。
【００３８】
ネットワークインタフェース１１８は、情報処理装置１００とネットワークで接続される他の機器、例えば携帯端末２００との間で無線または有線によって情報の授受を行うものである。外部インタフェース１１９は、情報処理装置１００に接続して使用する周辺機器、例えば携帯端末２００との間で情報のやり取りの仲介を行うものである。外部インタフェース１１９として、例えばＵＳＢ（Ｕｎｉｖｅｒｓａｌ  Ｓｅｒｉａｌ  Ｂｕｓ）ポート等からなる。
【００３９】
以上、図１を用いて本発明の一実施形態にかかる情報処理装置１００のハードウェア構成について説明した。次に、本発明の一実施形態にかかる情報処理装置１００の機能構成について説明する。
【００４０】
〔２〕本発明の一実施形態にかかる情報処理装置の機能構成
図２は、本発明の一実施形態にかかる情報処理装置１００の機能構成について説明する説明図である。以下、図２を用いて本発明の一実施形態にかかる情報処理装置１００の機能構成について説明する。
【００４１】
図２に示したように、本発明の一実施形態にかかる情報処理装置１００は、コンテンツ情報記憶部１２２と、コンテンツ情報取得部１２４と、表示制御部１２６と、を含んで構成される。
【００４２】
コンテンツ情報記憶部１２２は、本発明の記憶手段の一例であり、コンテンツを識別するためのコンテンツ識別情報（例えばファイル名）と、当該コンテンツ識別情報に対応する属性情報（例えば、ファイルが楽曲ファイルであれば、当該楽曲の楽曲名、当該楽曲を歌う歌手名、楽曲が収録されているアルバム名、演奏時間、ファイルサイズ等）とが記憶されている。コンテンツ情報記憶部１２２は、例えばＨＤＤ１１６の内部にコンテンツを記憶する領域として設けられていてもよい。
【００４３】
コンテンツ情報取得部１２４は、情報処理装置１００に記憶されているコンテンツを識別するコンテンツ識別情報と、当該コンテンツ識別情報に対応する属性情報を、コンテンツ情報記憶部１２２から取得するものである。コンテンツ情報取得部１２４が取得したコンテンツ識別情報および当該コンテンツ識別情報に対応する属性情報は表示制御部１２６によって表示部１１２に表示される。
【００４４】
表示制御部１２６は、コンテンツ情報記憶部１２２に記憶されており、コンテンツ情報取得部１２４が取得した表示部１１２に表示されるコンテンツ識別情報ごとの属性情報の表示を制御するものである。本発明の一実施形態にかかる情報処理装置１００は、入力部１１４をユーザが操作することによって、表示部１１２に表示されるコンテンツ識別情報ごとの属性情報の表示形式を切り替えることができる。入力部１１４をユーザが操作することによって、表示制御部１２６に対してコンテンツ識別情報ごとの属性情報の表示形式の切り替えの指示が送出される。表示制御部１２６は、ユーザの入力部１１４の操作に応じて、表示部１１２に表示されるコンテンツ識別情報ごとの属性情報の表示形式を切り替えるよう制御するものである。本実施形態における、表示部１１２に表示されるコンテンツ識別情報ごとの属性情報の表示形式については後に詳述する。
【００４５】
以上、図２を用いて本発明の一実施形態にかかる情報処理装置１００の機能構成について説明した。次に、本発明の一実施形態にかかる情報処理装置１００の表示部１１２に表示される画面の構成について説明する。
【００４６】
〔３〕本発明の一実施形態にかかる情報処理装置に表示される画面の構成
図３〜図５は、本発明の一実施形態にかかる情報処理装置１００の表示部１１２に表示される画面の一例について示す説明図である。以下、図３〜図５を用いて本発明の一実施形態にかかる情報処理装置１００の表示部１１２に表示される画面の一例について説明する。
【００４７】
図３〜図５は、本発明の一実施形態にかかる情報処理装置１００の表示部１１２に表示される画面について示したものである。ジュークボックスプログラム１３０は、例えばＨＤＤ１１６にプログラム本体が格納され、当該プログラムをＲＡＭ１０６にロードして、ＣＰＵ１０２からＲＡＭ１０６にロードされたプログラムを順次実行することによって実行される。本発明の一実施形態にかかるジュークボックスプログラム１３０は、コンテンツ操作部１３２と、サイドバー１３４と、ＰＣコンテンツ表示部１３６と、ビュー切り替え部１３８と、を含んだ情報を表示部１１２に表示する。
【００４８】
コンテンツ操作部１３２は、ＰＣコンテンツ表示部１３６に表示されているコンテンツに対して、コンテンツの再生、一時停止、停止、再生中のコンテンツの音量の調整、再生位置の調整、コンテンツのスキップ、繰り返し再生、シャッフル再生等を指示するものである。また、コンテンツ操作部１３２には、再生中のコンテンツのジャケットや、再生中のコンテンツに関連する画像等を表示してもよい。
【００４９】
サイドバー１３４は、ＰＣコンテンツ表示部１３６へのコンテンツ表示を切り替えるものである。例えば、サイドバー１３４において「ライブラリ」の「ミュージックライブラリ」をマウスのクリック等で選択すると、ＰＣコンテンツ表示部１３６には情報処理装置１００で再生が可能な、音楽に関するコンテンツが一覧表示される。「ミュージックライブラリ」以下の「ミュージック」を選択すると、音楽に関するコンテンツの中から、ＭＰ３（ＭＰＥＧ  Ａｕｄｉｏ  Ｌａｙｅｒ−３）やＡＡＣ（Ａｄｖａｎｃｅｄ  Ａｕｄｉｏ  Ｃｏｄｉｎｇ）、ＡＴＲＡＣ（Ａｄａｐｔｉｖｅ  Ｔｒａｎｓｆｏｒｍ  Ａｃｏｕｓｔｉｃ  Ｃｏｄｉｎｇ）等の圧縮方式で符号化された楽曲ファイルが抽出されてＰＣコンテンツ表示部１３６に表示される。もちろん、種別を問わずに全てのコンテンツを一覧表示するようにサイドバー１３４から選択することもできる。
【００５０】
ＰＣコンテンツ表示部１３６は、情報処理装置１００で再生が可能なコンテンツの一覧が表示されるものである。情報処理装置１００で再生が可能なコンテンツの一覧の表示は、上述した表示制御部１２６が行う。ＰＣコンテンツ表示部１３６に表示されるコンテンツの一覧は、サイドバー１３４を操作することによって変化する。ＰＣコンテンツ表示部１３６には、コンテンツ情報取得部１２４が取得したコンテンツの属性情報が一覧形式で表示され、コンテンツの属性情報としては、例えばコンテンツのタイトル、コンテンツの再生時間、コンテンツのアーティスト名、コンテンツが含まれているアルバム名、ユーザがコンテンツに対して設定した評価、コンテンツのサイズ、コンテンツの情報処理装置１００への登録日時、コンテンツのジャンル等を含んでいてもよい。これらのコンテンツの属性情報はメタデータの形式で情報処理装置１００の内部、例えばＨＤＤ１１６に格納される。
【００５１】
ジュークボックスプログラム１３０でコンテンツを再生する際には、どのコンテンツを再生しているかを分かりやすくするために、再生中のコンテンツがＰＣコンテンツ表示部１３６において強調表示される。また、再生中の楽曲のタイトルやアーティスト名はコンテンツ操作部１３２に表示される。
【００５２】
ＰＣコンテンツ表示部１３６には、カラムヘッダ１３７が含まれる。カラムヘッダ１３７には、ＰＣコンテンツ表示部１３６に一覧表示されるコンテンツの属性の名称が表示される。図３では、コンテンツの属性として、タイトル、時間（再生時間）、アーティスト、アルバム、評価、サイズ、および登録日時が表示されている。もちろん、本発明においては図３に示したもの以外の属性も表示してもよく、カラムヘッダ１３７への属性の表示順も、図３に示したもの以外の順序であってもよい。また、カラムヘッダ１３７に表示される属性の表示順は、情報処理装置１００のユーザの入力部１１４の操作によって、例えばマウスのドラッグアンドドロップ操作によって入れ替えが可能であってもよい。
【００５３】
情報処理装置１００のユーザは、カラムヘッダ１３７に対して入力部１１４を用いて操作することで、例えば、マウスを操作してカラムヘッダ１３７にマウスカーソルを合わせ、マウスでカラムヘッダ１３７をクリックすることで、コンテンツの一覧の並び替えを行うことができる。コンテンツの一覧の並び替えは、上述した表示制御部１２６が行ってもよい。例えば、カラムヘッダ１３７の「タイトル」欄をクリックすると、クリックを検知した表示制御部１２６はタイトルの昇順でコンテンツの一覧の並び替えを行い、既にタイトルの昇順でコンテンツの一覧の並び替えが行われていれば、表示制御部１２６はタイトルの降順でコンテンツの一覧の並び替えを行う。
【００５４】
図３では、ＰＣコンテンツ表示部１３６にはテキストによってコンテンツの一覧を表示していたが、本発明においては、表示形式はかかる例に限られない。例えば、ユーザの入力部１１４の操作によって、コンテンツの一覧をコンテンツが含まれているアルバムのジャケット画像を、いわゆるサムネイル形式で表示してもよい。コンテンツの一覧をサムネイル形式で表示する場合には、画面の左から右方向、および上から下方向にかけてソートが行われるように表示することが望ましい。
【００５５】
ビュー切り替え部１３８は、ＰＣコンテンツ表示部１３６に表示されるコンテンツの情報の表示形式を切り替えるためのものである。本実施形態にかかるジュークボックスプログラム１３０では、ビュー切り替え部１３８にはリストビューボタン１３８ａ、ジャケットビューボタン１３８ｂ及びアルバムビューボタン１３８ｃが含まれている。
【００５６】
リストビューボタン１３８ａは、ＰＣコンテンツ表示部１３６に表示されるコンテンツの情報の表示形式をリストビュー形式に切り替えるためのものである。リストビュー形式とは、コンテンツの情報を一覧表示形式で表示するものであり、図３に示したような形式でコンテンツの情報を表示するものである。図３に示した例では、コンテンツのタイトル名、アーティスト名、アルバム名、コンテンツの再生時間、コンテンツのデータ容量に関する情報がＰＣコンテンツ表示部１３６に表示されている。
【００５７】
ジャケットビューボタン１３８ｂは、ＰＣコンテンツ表示部１３６に表示されるコンテンツの情報の表示形式をジャケットビュー形式に切り替えるためのものである。ジャケットビュー形式とは、コンテンツの情報をジャケット表示形式で表示するものであり、図４に示したような形式でコンテンツの情報を表示するものである。図４に示した例では、コンテンツのタイトル名、アーティスト名、アルバム名の情報がＰＣコンテンツ表示部１３６に表示されている他、当該コンテンツを示す画像（ジャケット画像）についてもＰＣコンテンツ表示部１３６に表示されている。なお、ジャケットビュー形式で表示するコンテンツは、楽曲コンテンツに限られず、動画コンテンツであってもよい。動画コンテンツをジャケットビュー形式で表示する場合には、ジャケット画像として、それぞれの動画コンテンツの代表画像やチャプタの代表画像等であってもよい。代表画像としては、動画コンテンツのジャケットの画像、タイトル画像等であってもよく、コンテンツ開始後、所定の位置（例えばコンテンツ開始２秒後）における画像であってもよい。
【００５８】
アルバムビューボタン１３８ｃは、ＰＣコンテンツ表示部１３６に表示されるコンテンツの情報の表示形式をアルバムビュー形式に切り替えるためのものである。アルバムビュー形式とは、コンテンツの情報をアルバム単位で表示する表示形式であり、図５に示したような形式でコンテンツの情報を表示するものである。
【００５９】
情報処理装置１００のユーザは、ビュー切り替え部１３８に配されたリストビューボタン１３８ａ、ジャケットビューボタン１３８ｂ及びアルバムビューボタン１３８ｃをマウスのクリック等で操作することで、ＰＣコンテンツ表示部１３６に表示されるコンテンツの情報の表示形式を切り替えることができる。
【００６０】
なお、ジュークボックスプログラム１３０は検索文字列入力部１３３を表示させてもよい。検索文字列入力部１３３に検索対象の文字列を入力して検索すると、当該文字列とタイトル、アーティスト名、アルバム名等が部分一致するコンテンツを検索し、ＰＣコンテンツ表示部１３６に絞り込んで表示させてもよい。検索する場合には、逐語検索してＰＣコンテンツ表示部１３６に絞り込んだコンテンツの一覧を表示させてもよく、検索したい単語をすべて入力した上で検索して、ＰＣコンテンツ表示部１３６に絞り込んだコンテンツの一覧を表示させてもよい。
【００６１】
以上、図３〜図５を用いて本発明の一実施形態にかかる情報処理装置１００の表示部１１２に表示される画面の一例について説明した。なお、図３〜図５に示したジュークボックスプログラム１３０の画面は、本発明を実施する上での一例を示したに過ぎないことは言うまでもない。
【００６２】
〔４〕本発明の一実施形態にかかる情報処理装置の動作
次に、本発明の一実施形態にかかる情報処理装置１００で実行されるジュークボックスプログラム１３０の動作について説明する。
【００６３】
上述したように、従来のコンテンツ表示アプリケーションでは、コンテンツの情報の表示形式を切り替えると、一瞬のうちに表示の切り替えが完了する。しかし、コンテンツの情報の表示が一瞬で切り替わってしまうと、単に表示形式を切り替えただけで同じ内容のコンテンツの一覧を表示しているにも関わらず、ユーザにとっては別の内容のコンテンツの一覧を表示しているものと誤解してしまう問題があった。
【００６４】
そこで、本発明の一実施形態にかかる情報処理装置１００で実行されるジュークボックスプログラム１３０では、コンテンツの情報の表示形式を切り替える際に、切り替えの前後で共通して表示される項目は、ＰＣコンテンツ表示部１３６の内部で動的に移動させる。また、切り替えの前後で共通して表示されない項目は、移動の際にＰＣコンテンツ表示部１３６から消去させる。このようにコンテンツの項目を移動させることで、コンテンツの情報の表示形式を切り替えた場合であっても、ユーザに分かりやすいようにＰＣコンテンツ表示部１３６へコンテンツを表示させることを特徴としている。
【００６５】
図６は、本発明の一実施形態にかかる情報処理装置１００で実行されるジュークボックスプログラム１３０の動作について説明する流れ図である。以下、図６を用いて本発明の一実施形態にかかる情報処理装置１００で実行されるジュークボックスプログラム１３０の動作について説明する。
【００６６】
図６では、ユーザがジュークボックスプログラム１３０を操作して、ＰＣコンテンツ表示部１３６に表示されるコンテンツの情報の表示形式をリストビュー形式からジャケットビュー形式に切り替える際の動作を例示して説明している。図６に示した例では、ＰＣコンテンツ表示部１３６に表示されるコンテンツの情報の表示形式がリストビュー形式である場合について説明している。
【００６７】
まず、ＰＣコンテンツ表示部１３６に表示されるコンテンツの情報の表示形式がリストビュー形式である場合に、ユーザがジャケットビューボタン１３８ｂを選択する（ステップＳ１０２）。ジャケットビューボタン１３８ｂの選択は、ユーザの入力部１１４の操作によって行われてもよい。ジャケットビューボタン１３８ｂの選択は、例えばマウスのクリックや、表示部１１２がタッチパネル式の表示装置である場合には、画面上に表示されたジャケットビューボタン１３８ｂを直接タッチすることで行われてもよい。
【００６８】
ユーザがジャケットビューボタン１３８ｂを選択すると、表示制御部１２６はジャケットビューボタン１３８ｂの選択を検知する。そして、表示制御部１２６は、リストビュー形式とジャケットビュー形式とで、ＰＣコンテンツ表示部１３６に共通して表示される項目（共通表示項目）が存在するかどうかを判定する（ステップＳ１０４）。
【００６９】
ステップＳ１０４における表示制御部１２６の判定の結果、リストビュー形式とジャケットビュー形式とで、ＰＣコンテンツ表示部１３６に表示される共通表示項目が存在すると表示制御部１２６が判定した場合には、表示制御部１２６は、リストビュー形式でＰＣコンテンツ表示部１３６に表示されている項目のうち、共通表示項目以外の項目をＰＣコンテンツ表示部１３６に表示しないように（ＰＣコンテンツ表示部１３６から非表示に）する（ステップＳ１０６）。
【００７０】
ステップＳ１０６で、表示制御部１２６が共通表示項目以外の項目をＰＣコンテンツ表示部１３６から非表示にすると、表示制御部１２６は、続いて共通表示項目について、リストビュー形式で表示されている場所からジャケットビュー形式で表示される場所へアニメーション移動させる（ステップＳ１０８）。本実施形態においては、共通表示項目に関しては、表示形式を切り替える前の各項目の位置から、表示形式を切り替えた後の各項目の位置へ、直線的に移動させる。そして、移動の際には、各項目の移動の軌跡が分かるように直線的にアニメーション移動させる。
【００７１】
一方、上記ステップＳ１０４の判定の結果、リストビュー形式とジャケットビュー形式とで共通表示項目が存在しないと表示制御部１２６が判定した場合には、表示制御部１２６は、リストビュー形式でＰＣコンテンツ表示部１３６に表示されている項目をＰＣコンテンツ表示部１３６から全て非表示にする（ステップＳ１１０）。
【００７２】
上記ステップＳ１０８またはステップＳ１１０における表示制御部１２６の処理が完了すると、表示制御部１２６はジャケットビューの画面にのみ表示される項目をコンテンツ情報取得部１２４に取得させる。そして、コンテンツ情報取得部１２４が取得した情報を、表示制御部１２６はＰＣコンテンツ表示部１３６に表示させる（ステップＳ１１２）。
【００７３】
上述した本発明の一実施形態にかかる情報処理装置１００で実行されるジュークボックスプログラム１３０の動作を、図面を参照してさらに詳細に説明する。
【００７４】
図７〜図１０は、本発明の一実施形態にかかる情報処理装置１００で実行されるジュークボックスプログラム１３０の動作を説明する説明図である。図７〜図１０では、説明の便宜上、図３で図示したジュークボックスプログラム１３０で表示される画面のうち、ＰＣコンテンツ表示部１３６およびビュー切り替え部１３８を抜き出して示している。以下、図７〜図１０を用いて、本発明の一実施形態にかかる情報処理装置１００で実行されるジュークボックスプログラム１３０の動作の一例について説明する。
【００７５】
図７は、コンテンツの情報がリストビュー形式でＰＣコンテンツ表示部１３６に表示されている場合の一例を示したものである。ここで、ユーザがジャケットビューボタン１３８ｂを選択すると、表示制御部１２６は、リストビュー形式とジャケットビュー形式とで、ＰＣコンテンツ表示部１３６に共通して表示される共通表示項目が存在するかどうかを判定する。そして、図８に示したように、表示制御部１２６によってリストビュー形式でＰＣコンテンツ表示部１３６に表示されている項目のうち、共通表示項目以外の項目を非表示にさせる。この例では、共通表示項目である「タイトル」「アーティスト」および「アルバム」に該当する各項目がＰＣコンテンツ表示部１３６に表示されており、共通表示項目以外の項目である「時間」と「サイズ」の項目が、表示制御部１２６によってＰＣコンテンツ表示部１３６から表示されなくなっている。
【００７６】
続いて、図９に示したように、共通表示項目については、リストビュー形式で表示されている場所からジャケットビュー形式で表示される場所へ、表示制御部１２６によってアニメーション移動させる。この例では、共通表示項目である「タイトル」「アーティスト」および「アルバム」に該当する各項目が、表示制御部１２６によってＰＣコンテンツ表示部１３６の内部をアニメーション移動される。上述のように、本実施形態においては、共通表示項目に関しては、表示形式を切り替える前の各項目の位置から、表示形式を切り替えた後の各項目の位置へ、直線的に移動させる。そして、表示制御部１２６による共通表示項目の移動の際には、瞬時に項目を移動させるのではなく、各項目の移動の軌跡が分かるように直線的にアニメーション移動させる。そして、図１０に示したように、ジャケットビューの画面にのみ表示される項目を、表示制御部１２６によってＰＣコンテンツ表示部１３６に表示させる。この例では、ジャケットビューの画面にのみ表示される各コンテンツのジャケット画像が、表示制御部１２６によってＰＣコンテンツ表示部１３６に表示される。
【００７７】
このように、切り替えの前後で共通して表示される項目は表示制御部１２６によってＰＣコンテンツ表示部１３６の内部を動的に移動させることで、コンテンツの表示形式を切り替えた際に、ユーザに分かりやすくコンテンツを表示させることができる。また、全ての項目を動的に移動させるのではなく、動的に移動させる要素を共通表示項目に絞り込むことにより、軽快な操作感をユーザに与えることができる。なお、本実施形態では、表示制御部１２６による共通表示項目の移動の際には、瞬時に項目を移動させるのではなく、各項目の移動の軌跡が分かるように直線的にアニメーション移動させていたが、本発明はかかる例に限定されないことは言うまでもない。例えば、表示形式を切り替える前の各項目の位置から、表示形式を切り替えた後の各項目の位置へ弧を描いてアニメーション移動させてもよい。
【００７８】
〔５〕本発明の一実施形態にかかる情報処理装置の動作の変形例
なお、本発明におけるリストビュー形式からジャケットビュー形式に表示形式を切り替える際の、情報の表示手法および消去手法については、かかる例に限定されないことは言うまでもない。以下に、本発明の一実施形態にかかる情報処理装置の動作の変形例として、リストビュー形式からジャケットビュー形式に表示形式を切り替える際の（またはジャケットビュー形式からリストビュー形式に表示形式を切り替える際の）、情報の表示手法および消去手法の例を列挙する。
【００７９】
例えば、表示制御部１２６は、上記ステップＳ１０６において、共通表示項目以外の項目をＰＣコンテンツ表示部１３６から消去する際において、ＰＣコンテンツ表示部１３６から徐々に消えるように（フェードアウトするように）消去させてもよい。図７〜図１０に示した例では、表示制御部１２６が、共通表示項目以外の項目である「時間」および「サイズ」をＰＣコンテンツ表示部１３６から徐々に消えるように（フェードアウトするように）消去させてもよい。
【００８０】
また、表示制御部１２６は、リストビュー形式に存在しているが、ジャケットビュー形式に存在しない情報は、共通表示項目を移動させた後にＰＣコンテンツ表示部１３６から消去させるようにしてもよい。共通表示項目を移動させた後に、共通表示項目をＰＣコンテンツ表示部１３６から消去させる際に、表示制御部１２６は、共通表示項目以外の項目をＰＣコンテンツ表示部１３６から消去する際に、ＰＣコンテンツ表示部１３６からフェードアウトするように消去させてもよい。
【００８１】
また、表示制御部１２６は、リストビュー形式に存在しジャケットビュー形式に存在しない情報は、共通表示項目をＰＣコンテンツ表示部１３６内で移動させつつ、ＰＣコンテンツ表示部１３６から消去させるようにしてもよい。この場合において、共通表示項目の移動開始タイミングと、共通表示項目以外の項目のＰＣコンテンツ表示部１３６からの消去開始タイミングとは、同じタイミングであってもよく、違うタイミングであってもよい。また、表示制御部１２６は、共通表示項目以外の項目をＰＣコンテンツ表示部１３６から消去する際には、ＰＣコンテンツ表示部１３６からフェードアウトするように消去させてもよい。
【００８２】
また、表示制御部１２６は、リストビュー形式からジャケットビュー形式へ切り替える際に、ジャケットビュー形式に存在しリストビュー形式に存在しない情報を、共通表示項目を移動させた後にＰＣコンテンツ表示部１３６に表示させるようにしてもよい。その際に、表示制御部１２６は、ＰＣコンテンツ表示部１３６に表示させる際に、ＰＣコンテンツ表示部１３６へ徐々に現れるように（フェードインするように）表示させてもよい。
【００８３】
また、表示制御部１２６は、リストビュー形式からジャケットビュー形式へ切り替える際に、ジャケットビュー形式に存在しリストビュー形式に存在しない情報は、共通表示項目を移動させる前にＰＣコンテンツ表示部１３６に表示させるようにしてもよい。その際に、表示制御部１２６は、ジャケットビュー形式に存在しリストビュー形式に存在しない情報をＰＣコンテンツ表示部１３６へフェードインするように表示させてもよい。
【００８４】
また、表示制御部１２６は、リストビュー形式からジャケットビュー形式へ切り替える際に（またはジャケットビュー形式からリストビュー形式に切り替える際に）選択状態にあるコンテンツの選択状態表示（いわゆるハイライト表示）を滑らかに変化させてもよい。図１１および図１２は、選択状態にあるコンテンツのハイライト表示を滑らかに変化させた場合を示す説明図である。図１１は、リストビュー形式でコンテンツの一覧をＰＣコンテンツ表示部１３６に表示させている場合における、選択状態にあるコンテンツのハイライト表示について示したものである。また、図１２は、ジャケットビュー形式でコンテンツの一覧をＰＣコンテンツ表示部１３６に表示させている場合における、選択状態にあるコンテンツのハイライト表示について示したものである。図１１および図１２では、共に楽曲のタイトルが「ミュージック０２」であるコンテンツがハイライト表示されている。表示制御部１２６は、リストビュー形式からジャケットビュー形式へ切り替える際に、図１１に示したようなハイライト表示から、図１２に示したようなハイライト表示へ変化させてもよい。ハイライト表示を変化させる際には、表示制御部１２６は、瞬時にハイライト表示を変化させるのではなく、変化の軌跡が分かるよう、滑らかにハイライト表示を変化させてもよい。例えば、表示制御部１２６はＰＣコンテンツ表示部１３６におけるハイライト表示に対して、コンテンツの表示形式を切り替える際に、上述したコンテンツの切り替え処理と同時にモーフィング処理を施してもよい。ハイライト表示に対してモーフィング処理を施すことによって、ハイライト表示の変化の軌跡を分かりやすく見せることが可能となる。
【００８５】
また、表示制御部１２６は、リストビュー形式からジャケットビュー形式へ切り替える際に（またはジャケットビュー形式からリストビュー形式に切り替える際に）ＰＣコンテンツ表示部１３６におけるグリッド（コンテンツ単位でコンテンツの属性情報が表示される領域をいう）の形状を滑らかに変化させてもよい。グリッドの背景色が、ＰＣコンテンツ表示部１３６においてコンテンツごとに異なる色で表示されている場合（例えば、背景色が白とグレーとで１行ずつ交互に表示されている場合）において、色が付いている行（前述の例では、背景色がグレーの行）に関しては、表示制御部１２６は、コンテンツの表示形式を切り替える際に、上述したコンテンツの切り替え処理と同時に、グリッドの形状とともにモーフィング処理を施してもよい。モーフィング処理を施すことによって、グリッドの形状の変化の軌跡を分かりやすく見せることが可能となる。
【００８６】
また、表示制御部１２６は、リストビュー形式からジャケットビュー形式へ切り替える際に（またはジャケットビュー形式からリストビュー形式に切り替える際に）選択状態にあるコンテンツがＰＣコンテンツ表示部１３６から見えなくなる場合に、表示の切り替えの際に当該コンテンツが表示されるようにＰＣコンテンツ表示部１３６をスクロールさせてもよい。
【００８７】
以上、リストビュー形式からジャケットビュー形式に表示形式を切り替える際の（またはジャケットビュー形式からリストビュー形式に表示形式を切り替える際の）、情報の表示手法および消去手法の例を列挙したが、本発明においては、情報の表示手法および消去手法についてはかかる例に限定されないことは言うまでも無い。本発明においては、上述したもの以外の手法を用いてコンテンツの表示形式を切り替えることが可能である。
【００８８】
以上説明したように本実施形態によれば、切り替えの前後で共通して表示される項目は表示制御部１２６によって動的に移動させることで、コンテンツの表示形式を切り替えた際に、ユーザに分かりやすくコンテンツを表示させることができる。また、全ての項目を動的に移動させるのではなく、動的に移動させる要素を共通表示項目に絞り込むことにより、軽快な操作感をユーザに与えることができる。
【００８９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００９０】
本発明は、情報処理装置、情報表示方法およびコンピュータプログラムに適用可能であり、特に情報の表示形式を切り替えることが可能な情報処理装置、情報表示方法およびコンピュータプログラムに適用可能である。
【図面の簡単な説明】
【００９１】
【図１】本発明の一実施形態にかかる情報処理装置１００の構成について説明する説明図である。
【図２】本発明の一実施形態にかかる情報処理装置１００の機能構成について説明する説明図である。
【図３】本発明の一実施形態にかかる情報処理装置１００の表示部１１２に表示される画面の一例について示す説明図である。
【図４】本発明の一実施形態にかかる情報処理装置１００の表示部１１２に表示される画面の一例について示す説明図である。
【図５】本発明の一実施形態にかかる情報処理装置１００の表示部１１２に表示される画面の一例について示す説明図である。
【図６】本発明の一実施形態にかかる情報処理装置１００で実行されるジュークボックスプログラム１３０の動作について説明する流れ図である。
【図７】ジュークボックスプログラム１３０の動作を説明する説明図である。
【図８】ジュークボックスプログラム１３０の動作を説明する説明図である。
【図９】ジュークボックスプログラム１３０の動作を説明する説明図である。
【図１０】ジュークボックスプログラム１３０の動作を説明する説明図である。
【図１１】選択状態にあるコンテンツのハイライト表示を滑らかに変化させた場合を示す説明図である。
【図１２】選択状態にあるコンテンツのハイライト表示を滑らかに変化させた場合を示す説明図である。
【符号の説明】
【００９２】
１００    情報処理装置
１２２    コンテンツ情報記憶部
１２４    コンテンツ情報取得部
１２６    表示制御部
１３２    コンテンツ操作部
１３３    検索文字列入力部
１３４    サイドバー
１３６    ＰＣコンテンツ表示部
１３７    カラムヘッダ
１３８    ビュー切り替え部
【図１】
2010026864.tif 000003
【図２】
2010026864.tif 000004
【図３】
2010026864.tif 000005
【図４】
2010026864.tif 000006
【図５】
2010026864.tif 000007
【図６】
2010026864.tif 000008
【図７】
2010026864.tif 000009
【図８】
2010026864.tif 000010
【図９】
2010026864.tif 000011
【図１０】
2010026864.tif 000012
【図１１】
2010026864.tif 000013
【図１２】
2010026864.tif 000014